(57)【要約】      （修正有）【課題】一斉呼び出しエリア内において、一瞬でも先に着信があった通信機端末のみに対して呼び出しが実行され、規定数の着信があった後の通信機端末に対しても、呼び出しが実行されるPHSシステムの通信機呼び出し方式を提供する。【解決手段】複数の無線基地局を複数の一斉呼び出しエリアに分割すると共に、全ての通信機端末は、電源投入時，通話終了時，一斉呼び出しエリア間を超えて移動した場合等に、端末が存在する一斉呼び出しエリア内の無線基地局に対して位置登録を行い、着信時に、位置登録データベースに基づいて一斉呼び出しを実行するPHSシステムにおいて、データベースにおける通信機端末の位置に対応する無線基地局に優先順位を付与し、新たな着信が発生した際に、当該着信先の通信機端末の優先順位に応じて、各通信機端末への着信呼び出し待ち行列を変更することを特徴とする。【選択図】 図３
2008113245.tif 000002
【特許請求の範囲】
【請求項１】
複数の無線基地局を複数の一斉呼び出しエリアに分割すると共に、全ての通信機端末は、電源投入時，通話終了時，前記一斉呼び出しエリア間を超えて移動した場合に、前記通信機端末自身が現在存在する前記一斉呼び出しエリア内の無線基地局に対して位置登録を行ってPHS交換機のデータベースに格納し、前記通信機端末に着信が発生した場合に、前記データベースに基づいて前記一斉呼び出しエリア内の全ての前記無線基地局からの一斉呼び出しを実行するPHSシステムにおいて、
前記データベースにおける前記通信機端末の位置に対応する前記無線基地局に優先順位を付与し、新たな着信が発生した際に、当該着信先の通信機端末の前記優先順位に応じて、各通信機端末への着信呼び出し待ち行列を変更することを特徴とするPHSシステム。
【請求項２】
前記一斉呼び出しエリアを複数の前記無線基地局が含まれる複数のグループに分割し、分割されたグループ内に存在する前記通信機端末毎に、当該グループ内の前記無線基地局を１個の最優先無線基地局と複数個の優先無線基地局として登録することを特徴とする請求項１に記載のPHSシステム。
【請求項３】
前記最優先無線基地局若しくは前記優先無線基地局として登録されている前記通信機端末に対する着信があった際に、当該最優先無線基地局若しくは優先無線基地局の着信呼び出し待ち行列に着信があった前記通信機端末を追加する変更を行うことを特徴とする請求項２に記載のPHSシステム。
【請求項４】
前記PHS交換機から前記一斉呼び出しエリア内の全ての前記無線基地局に対して送信される着信呼び出し呼設定情報には、着信番号，発信番号，伝達能力に関するデータと共に、付加情報として前記最優先無線基地局及び前記優先無線基地局データが含まれていることを特徴とする請求項３に記載のPHSシステム。
【請求項５】
複数の無線基地局を複数の一斉呼び出しエリアに分割すると共に、該一斉呼び出しエリアを複数の前記無線基地局が含まれる複数のグループに分割し、全ての通信機端末は、電源投入時，通話終了時，前記一斉呼び出しエリア間を超えて移動した場合等に、前記通信機端末自身が現在存在する前記グループの前記無線基地局に対して位置登録を行い、前記通信機端末に対する着信が発生した場合に、前記一斉呼び出しエリア内の全ての前記無線基地局からの一斉呼び出しを実行するPHSシステムのPHS交換機のデータベースであって、
前記データベースの前記無線基地局に関する情報テーブルにＩＤ，アドレス，緯度，経度情報と共に当該無線基地局の属するグループを共有する他の前記無線基地局の相関情報を含むことを特徴とするPHSシステムのPHS交換機のデータベース。
【請求項６】
前記データベースには、位置登録管理サーバ情報として、前記一斉呼び出しエリア内に存在する各通信機端末毎の、PHS番号，認証キーデータと共に、当該通信機端末の最優先無線基地局及び優先無線基地局情報を含むことを特徴とする請求項５に記載のPHSシステムのPHS交換機のデータベース。
【発明の詳細な説明】
【技術分野】
【０００１】
本発明は、PHSシステム(Personal Handyphone-System)の無線基地局と受信機（PHS)端末間の通信における通信機端末の着信率を向上させるPHSシステム及びPHS交換機のデータベース技術に関する。
【背景技術】
【０００２】
PHSシステムは、複数の無線基地局(CS：Cell Station)及び複数の通信機端末(PS：Personal Station)で構成され、該通信機端末は無線基地局を介して移動交換局に接続され、他の通信機端末または固定機との通信を確立する。
通信機端末（PS)を呼び出す場合、無線交換局（CS)は通信機端末（PS)がどこにいるか、つまり、どの無線基地局（CS)のエリアにいるかを知らなければならない。
【０００３】
PHSシステムでは、複数の無線基地局（CS)を数台から数十台づつの一斉呼び出しエリア（PA：Paging Aria)に分割して、全ての通信機端末(PS)は、電源投入時，通話終了時，一斉呼び出しエリア（PA)間を超えて移動した場合等に、通信機端末（PS)自身が現在存在する一斉呼び出しエリア（PA)内の１台の無線基地局（CS)に対して位置登録を行う。
【０００４】
このように通信機端末（PS)が位置登録を行っているので、PHSシステムの図示しないPHS交換機等のネットワークシステムに通信機端末（PS)の位置が把握でき、着信が発生した場合に、無線基地局（CS)からの呼び出しが可能となる。
特定の通信機端末（PS)に着信が発生した際には、着信の発生した通信機端末（PS)の位置登録されている無線基地局（CS)が所属する一斉呼び出しエリア（PA)内の全ての無線基地局（CS)から一斉に呼び出しが実行されることで、通信機端末（PS)が移動することによる着信失敗を回避できるようになっている。
【０００５】
従来の通信機端末（PS)の呼び出し送信順序について図５〜図７を用いて説明する。
図６及び(a)〜(c)は、図７に示す従来の無線基地局（CS)から通信機端末（PS)の呼び出しの送信順序を説明するための前提となるPHS交換機に格納されているデータベースである。
図５は、従来の通信機端末(PS)と無線基地局（CS)の関係（１つの一斉呼び出しエリアのみ）を示すを図であって、複数の無線基地局((CS-A）〜(CS-J)）を一斉呼び出しエリア（Paging Area)として割り当てられ、該ページングエリア内には、複数の通信機端末((PS-11)〜(PS-15））が存在している。
【０００６】
上記の通信機端末（PS)に対する一斉呼び出しの待ち行列に基づいた着信呼び出しを実行するために、PHS交換機（PA)には、無線基地局（CS)に関する図６(a)に示すデータベースが必要である。
前記データベースは、図６(a)に示す如く、一斉呼び出しエリア内の全ての無線基地局（CS)番号（(CS-A)〜(CS-J)），無線基地局（CS)ID，無線基地局（CS)のアドレス（Address)，その緯度，経度情報が含まれる。
【０００７】
また、PHS交換機（PA)には、通信機端末（PS)に対する一斉呼び出しの待ち行列に基づいた着信呼び出しを実行するために、図６(b)に示すデータベースが必要である。
前記データベースは、図６(b)に示す如く、一斉呼び出しエリア毎のエリア内に存在する通信機端末（PS)の番号（（PS11）〜(PS14))，PHS番号，認証キー等が含まれる。）
また、PHS交換機（PA)から当該PHS交換機の存在する一斉呼び出しエリア内の全ての無線基地局（CS)に対して送信される着信呼び出し呼設定情報は、図６(c)の如き、
着番号（着信番号），発番号（発信番号），伝達能力等のデータを含んでいる。
【０００８】
図７は、一斉呼び出しエリア（PA)内の全ての無線基地局（CS)が保持している通信機端末（PS)に対する一斉呼び出しの待ち行列（待ちキュー）を示している。
全ての無線基地局（CS)には、一斉呼び出しの待ち行列には、図示の如く、順序（１〜３）に応じて、それぞれ、通信機端末（PS)の固有コード（PS11〜PS13)と通信機端末番号（PHS番号）が登録されている。
前記一斉呼び出し待ち行列は、１〜３までで、満杯であるため、この状態で、新たに通信機端末（PS)のPS14に対する呼び出しが発生しても、無条件で棄却される。
【０００９】
上記の如く、従来のPHSシステムでは、PHS交換機から一斉呼び出しエリア内の全ての無線基地局（CS)に図６(c)の如きデータが送信されて、全ての無線基地局（CS)から、図７に示す如き一斉呼び出し待ち行列の順序で一斉呼び出しが実行される。
【００１０】
また、従来の基地局（CS)から通信機端末（PS)を呼び出す方式としては、以下のものが知られている。（特許文献１参照）
上記特許文献１には、位置登録トラヒックを上げることなく呼び出しトラヒックを更に低減できる移動通信システムの位置登録方法として、「移動交換局に一または複数の基地局が接続されており、移動機からの位置登録により前記移動機の場所を前記移動交換局で管理し、前記移動機に着信があった時に、位置登録された一または複数の基地局から一斉に呼び出し呼接続を行う移動通信システムの位置登録方法において、基地局を識別する基地局ＩＤを各基地局から報知情報にのせて報知し、移動機では、前記報知情報で報知されている基地局ＩＤが変化したとき、または所定時間を経過したとき、基地局ＩＤを履歴として記憶し、前記履歴に基づいて移動機の直前の履歴からその後移動機が存在するであろう一または複数の基地局を統計的に予測し、予測した基地局をパーソナル位置登録エリアとして登録し、前記履歴に基づいて登録されているパーソナル位置登録エリアを抽出して位置登録を行うことを特徴とする移動通信システムの位置登録方法。」（請求項１）が記載されている。
【００１１】
【特許文献１】特開２００１−３０９４１９号公報
【発明の開示】
【発明が解決しようとする課題】
【００１２】
図５の従来のPHSシステムにおける呼び出し送信順序は、図７に示す如く固定であるので、トラヒックの極めて高い状態が発生して、同一一斉呼び出しエリア（PA)内の通信機端末（PS)に対する呼び出しが複数重なった場合、規定時間内に呼び出しを実行できない状態が発生する。図７の例では、順序３で待ちキューが満杯になるため後発の呼び出しを無条件に棄却している。
したがって、一斉呼び出しエリア（PA)内における位置に無関係に、一瞬でも先に着信があった通信機端末（PS)には呼び出しが実行されて着信できるが、規定数の着信後に着信があった通信機端末（PS)には呼び出しすら行われない状態が発生するという問題があった。
【００１３】
本発明の課題（目的）は、一斉呼び出しエリア（PA)内において、一瞬でも先に着信があった通信機端末（PS)のみに対して呼び出しが実行され、規定数の着信があった後の通信機端末（PS)に対しても、条件次第では呼び出しが実行される新規なPHSシステムの通信機呼び出し方式を提供することにある。
【課題を解決するための手段】
【００１４】
前記課題を解決するために、本発明のPHSシステムは、複数の無線基地局を複数の一斉呼び出しエリアに分割すると共に、全ての通信機端末は、電源投入時，通話終了時，前記一斉呼び出しエリア間を超えて移動した場合等に、前記通信機端末自身が現在存在する前記一斉呼び出しエリア内の前記無線基地局に対して位置登録を行ってPHS交換機のデータベースに格納し、前記通信機端末に着信が発生した場合に、前記データベースに基づいて前記一斉呼び出しエリア内の全ての前記無線基地局からの一斉呼び出しを実行するPHSシステムにおいて、前記データベースにおける前記通信機端末の位置に対応する前記無線基地局に優先順位を付与し、新たな着信が発生した際に、当該着信先の通信機端末の前記優先順位に応じて、各前記通信機端末への着信呼び出し待ち行列を変更することを特徴とする。
【００１５】
また、前記一斉呼び出しエリアを複数の前記無線基地局が含まれる複数のグループに分割し、分割されたグループ内に存在する前記通信機端末毎に、当該グループ内の前記無線基地局を１個の最優先無線基地局と複数個の優先無線基地局として登録することを特徴とする。
また、前記最優先無線基地局若しくは前記優先無線基地局として登録されている前記通信機端末に対する着信があった際に、当該最優先無線基地局若しくは優先無線基地局の着信呼び出し待ち行列に着信があった前記通信機端末を追加する変更を行うことを特徴とする。
また、前記PHS交換機から前記一斉呼び出しエリア内の全ての前記無線基地局に対して送信される着信呼び出し呼設定情報には、着信番号，発信番号，伝達能力に関するデータと共に、付加情報として前記最優先無線基地局及び前記優先無線基地局データが含まれていることを特徴とする。
【００１６】
本発明のPHS交換機のデータベースは、複数の無線基地局を複数の一斉呼び出しエリアに分割すると共に、該一斉呼び出しエリアを複数の前記無線基地局が含まれる複数のグループに分割し、全ての通信機端末は、電源投入時，通話終了時，前記一斉呼び出しエリア間を超えて移動した場合等に、前記通信機端末自身が現在存在する前記グループの無線基地局に対して位置登録を行い、前記通信機端末に対する着信が発生した場合に、前記一斉呼び出しエリア内の全ての前記無線基地局からの一斉呼び出しを実行するPHSシステムのPHS交換機のデータベースであって、前記データベースの前記無線基地局に関する情報テーブルにＩＤ，アドレス，緯度，経度情報と共に当該無線基地局の属するグループを共有する他の無線基地局の相関情報を含むことを特徴とする。
【００１７】
また、前記データベースには、位置登録管理サーバ情報として、前記一斉呼び出しエリア内に存在する各通信機端末毎の、PHS番号，認証キーデータと共に、当該通信機端末の前記最優先無線基地局及び前記優先無線基地局情報を含むことを特徴とする。
【発明の効果】
【００１８】
請求項１〜６に記載のPHSシステム及びPHS交換機のデータベースによれば、一斉呼び出しエリア（PA)内において、一瞬でも先に着信があった通信機端末（PS)のみに対して呼び出しが実行され、規定数の着信があった後の通信機端末（PS)に対しても、条件次第では呼び出しが実行できる。
【発明を実施するための最良の形態】
【００１９】
本発明の通信機端末（PS)の呼び出し送信順序について図１及び図２を用いて説明する。
図１は、本発明の通信機端末(PS)と無線基地局（CS)の関係（１つの一斉呼び出しエリアのみ）１を示すを図であって、図５と同様にPHSシステムを構成する極めて複数の無線基地局（CS)を数十台づつの一斉呼び出しエリア（PA：Paging Aria)に分割している。
【００２０】
本発明では、上記一斉呼び出しエリア１に含まれる複数の無線基地局((CS-A）〜(CS-J)）を、更に複数のグループ（図１では３つのグループ）に細分化して管理する。
図１では、無線基地局（CS-A，CS-B，CS-C）を第１のグループとし、無線基地局（CS-D，CS-E，CS-F，CS-G）を第２のグループとし、無線基地局（CS-H，CS-I，CS-J）を第３のグループとしている。
【００２１】
本発明のPHSシステムのPHS交換機（PA)には、図５の従来のPHSシステムと同様の
通信機端末（PS)に対する一斉呼び出しの待ち行列に基づいた着信呼び出しを実行するために、無線基地局（CS)に関する図２(a)に示すデータベースが必要である。
前記データベースは、図２(a)に示す如く、一斉呼び出しエリア内の全ての無線基地局（CS)番号（(CS-A)〜(CS-J)），無線基地局（CS)ID，無線基地局（CS)のアドレス（Address)，その緯度，経度情報が含まれる。
【００２２】
本発明のPHSシステムでは、従来のデータに加えて、上述の如き、一斉呼び出しエリア内の複数の無線基地局（CS)を複数のグループに細分化して管理するための無線基地局の相関を表すデータ（CS相関）が蓄積されている。
図２(a)の例では、複数の無線基地局(CS)のCS-A，CS-B，CS-Cが１つのグループとされているので、無線基地局（CS-A）の項にはCS-B，Cが、無線基地局（CS-B）の項にはCS-A，Cが、無線基地局（CS-C）の項にはCS-A，Bが、CS相関として定義されている。
【００２３】
また、本発明のPHS交換機（PA)には、従来のPHSシステムと同様な通信機端末（PS)に対する一斉呼び出しの待ち行列に基づいた着信呼び出しを実行するために、図２(b)に示すデータベースが必要である。
前記データベースは、図２(b)に示す如く、一斉呼び出しエリア毎のエリア内に存在する通信機端末（PS)の番号（（PS11）〜(PS14))，PHS番号，認証キー等が含まれる。）
本発明のPHSシステムでは、従来のデータに加えて、更に当該通信機端末（PS)毎に、最優先無線基地局（CS)及び優先無線基地局（CS)が定義されている。
この最優先無線基地局（CS)及び優先無線基地局は、通信機端末（PS)の移動に伴って随時変更される。
【００２４】
また、本発明のPHS交換機（PA)には、従来のPHSシステムと同様なPHS交換機（PA)から当該PHS交換機の存在する一斉呼び出しエリア内の全ての無線基地局（CS)に対して送信される着信呼び出し呼設定情報は、図２(c)の如き、着番号（着信番号），発番号（発信番号），伝達能力等のデータを含んでいる。
本発明のPHSシステムでは、従来のデータに加えて、付加情報として、最優先無線基地局（最優先CS)及び優先無線基地局（優先CS)番号が追加されている。
【００２５】
本発明の通信機端末（PS)の呼び出し送信順序について図３及び図４を用いて説明する。
図３及び図４では、従来の無線基地局（CS)から通信機端末（PS)の呼び出しの送信順序を説明するための図７のデータに優先順位が追加されている。
【００２６】
図３(a)は、一斉呼び出しエリア（PA)内の無線基地局（CS-C)が保持している通信機端末（PS)に対する一斉呼び出しの待ち行列（待ちキュー）を示している。
無線基地局（CS-C)の、一斉呼び出しの待ち行列には、図示の如く、順序（１〜３）に応じて、それぞれ、通信機端末（PS)の固有コード（PS11〜PS13)と通信機端末番号（PHS番号）及び優先順位（１〜３）が登録されている。
この状態では、無線基地局(CS-C)の属するグループ内に存在する通信機端末(PS-11)が直前に使用したために優先順位は「１」となり、その他の同じグループ内に存在する通信機端末(PS-12，PS-13）は優先順位が「３」である。
【００２７】
また、図３(b)は、一斉呼び出しエリア（PA)内の無線基地局（CS-Ａ，CS-B)が保持している通信機端末（PS)に対する一斉呼び出しの待ち行列（待ちキュー）を示している。
無線基地局（CS-Ａ，CS-B)には、一斉呼び出しの待ち行列には、図示の如く、順序（１〜３）に応じて、それぞれ、通信機端末（PS)の固有コード（PS11〜PS13)と通信機端末番号（PHS番号）及び優先順位（２〜３）が登録されている。
この状態では、無線基地局(CS-A，CS-B)の属するグループと、無線基地局(CS-C）とが同一のグループであるため、通信機端末(PS-11)の優先順位は「２」となり、その他の同じグループ内に存在する通信機端末(PS-12，PS-13）は優先順位が「３」である。
【００２８】
この状態で、通信機端末(PS-14）（無線基地局CS-A，CS-B，CS-Cグループの優先通信機端末）に着信が発生すると、図３(a)の無線基地局（CS-C)が保持している通信機端末（PS)に対する一斉呼び出しの待ち行列（待ちキュー）は、図３(c)に示す如く順序３のキューが置き換えられる。
そして、この際に、通信機端末(PS-14）が直前に使用されたために、優先順位は「１」となる。
【００２９】
また、これと同時に、図３(b)の無線基地局（CS-A，CS-B)が保持している通信機端末（PS)に対する一斉呼び出しの待ち行列（待ちキュー）は、図３(d)に示す如く順序３のキューが置き換えられる。
そして、無線基地局(CS-A，CS-B)の属するグループと、無線基地局(CS-C）とが同一のグループであるため、通信機端末(PS-14)の優先順位は「２」となる。
【００３０】
上述の如く、本発明のPHSシステムでは、従来の一斉呼び出しの待ち行列（待ちキュー）には登録されていなかった、通信機端末(PS-14）新たな着信が発生した場合に一斉呼び出しの待ち行列（待ちキュー）は、図３(d)に示す如く順序３のキューが置き換えられてその待ち行列の順序で一斉呼び出しが実行される。
【００３１】
上記の説明は、優先順位の高い通信機端末（PS)への着信が発生した場合であるが、優先順位の低い通信機端末（PS)に着信が発生した場合について説明する。
図４は、無線基地局（CS-A〜CS-C)とは異なるグループに属する無線基地局（CS-D〜CS-J)の保持している通信機端末（PS)に対する一斉呼び出しの待ち行列（待ちキュー）を示している。
【００３２】
図４(a)〜(d)には、  無線基地局（CS-D)の、一斉呼び出しの待ち行列には、図示の如く、順序（１〜３）に応じて、それぞれ、通信機端末（PS)の固有コード（PS11〜PS13)と通信機端末番号（PHS番号）及び優先順位（１〜３）が登録されている。
しかし、図２(b)の位置登録管理サーバー情報における通信機端末(PS-14）の最優先(CS)及び優先（CS)としては、無線基地局(CS-D〜CS-J）は登録されていない（即ち優先順位が低い）ので、通信機端末(PS-14）（CS-A,B,Cグループの優先PS）に着信が発生しても、無線基地局（CS-D〜CS-J）に対する優先順位は「３」であるため、置き換えは行われない。
【図面の簡単な説明】
【００３３】
【図１】本発明の通信機端末(PS)と無線基地局（CS)の関係（１つの一斉呼び出しエリアのみ）を示すを図である。
【図２】本発明の無線基地局（CS)に関するPHS交換機のデータベースを示す図である。
【図３】本発明のPHSシステムにおける呼び出し送信順序のキューを示す図である。
【図４】本発明のPHSシステムにおける呼び出し送信順序のキューを示す図である。
【図５】従来の通信機端末(PS)と無線基地局（CS)の関係を示すを図である。
【図６】従来の無線基地局（CS)に関するPHS交換機のデータベースを示す図である。
【図７】従来のPHSシステムにおける呼び出し送信順序のキューを示す図である。
【符号の説明】
【００３４】
PS-11〜PS-15    無線基地局
CS-A〜CS-J      通信機端末
１               一斉呼び出しエリア
2-1〜2-3         グループ（1)〜(3)
【図１】
2008113245.tif 000003
【図２】
2008113245.tif 000004
【図３】
2008113245.tif 000005
【図４】
2008113245.tif 000006
【図５】
2008113245.tif 000007
【図６】
2008113245.tif 000008
【図７】
2008113245.tif 000009